(57)【特許請求の範囲】
【請求項１】
各々所定の電圧が印加されることにより動作し，少なくとも一の定格電圧が他の定格電圧と異なる複数の直流負荷を備えた冷蔵庫であって、
１回路の出力側に前記直流負荷各々が一の通電経路で並列に接続され、前記複数の直流負荷に直流電圧を印加するものであって出力電圧が可変である電圧可変直流電源回路と、
動作させる前記直流負荷に印加する前記所定の電圧に応じて前記電圧可変直流電源回路の出力電圧が該所定の電圧となるように制御する電圧制御手段と、
動作させる前記直流負荷に対応して設けられた駆動回路により該直流負荷の動作を開始させる制御部と、
を具備してなることを特徴とする冷蔵庫。
【請求項２】
前記所定の電圧が前記直流負荷の定格電圧である請求項１に記載の冷蔵庫。
【請求項３】
ある定格電圧の前記直流負荷の動作中はこれと異なる定格電圧の前記直流負荷のうちの全て若しくは一部の直流負荷の動作を禁止する動作禁止手段を具備してなる請求項２に記載の冷蔵庫。
【請求項４】
ある定格電圧の第１の直流負荷の動作中に該第１の直流負荷に対して優先度が高くかつ定格電圧が異なる第２の直流負荷を動作させる場合、前記第１の直流負荷の動作を中断させて前記第２の直流負荷を割り込ませて動作させる割り込み制御手段とを具備し、
前記電圧制御手段が、前記割り込み制御手段により動作される前記直流負荷の定格電圧に応じて前記電圧可変直流電源回路の出力電圧が該定格電圧となるように制御してなる請求項２に記載の冷蔵庫。
【請求項５】
前記電圧可変直流電源回路の最高出力電圧が前記複数の直流負荷の定格電圧のうちの最大の電圧に設定されてなる請求項１〜４のいずれかに記載の冷蔵庫。
【請求項６】
前記複数の直流負荷に、冷気を送風するファンの駆動用モータ、冷却室への冷気の供給量を調節するダンパの駆動用モータ、自動製氷装置における離氷用モータ、自動製氷装置における給水用モータ、及び冷凍サイクルにおける冷媒の流路制御弁の駆動用モータのうちの１又は複数が含まれてなる請求項１〜５のいずれかに記載の冷蔵庫。
【請求項７】
各々所定の定格電圧が印加されることにより動作し、少なくとも一の定格電圧が他の定格電圧と異なる複数の直流負荷と、１回路の出力側に前記直流負荷各々が一の通電経路で並列に接続され、該複数の直流負荷に直流電圧を印加するものであり、出力電圧が可変である電圧可変直流電源回路とを備えた冷蔵庫の制御方法であって、
前記複数の直流負荷の中から定格電圧が異なるものの同時動作を禁止しつつ動作させる１若しくは複数の前記直流負荷を選択する負荷選択工程と、
前記負荷選択工程により選択された前記直流負荷の定格電圧に応じて前記電圧可変直流電源回路の出力電圧が該定格電圧となるように制御する電圧制御工程と、
動作させる前記直流負荷に対応して設けられた駆動回路により該直流負荷の動作を開始させる制御工程と、
を有してなることを特徴とする冷蔵庫の制御方法。
【発明の詳細な説明】
【技術分野】
【０００１】
本発明は、複数の直流負荷を備えた冷蔵庫及びその制御方法に関し、特に、定格電圧が異なる直流負荷に対して適切な直流電圧を印可する回路をシンプルに構成することに好適な冷蔵庫及びその制御方法に関するものである。
【背景技術】
【０００２】
冷蔵庫には、各々所定の定格電圧が印加されることにより動作する複数の直流負荷、例えば、冷気を送風するファンの駆動用モータや、食品等の被冷却物が収容される冷却室への冷気の供給量を調節するダンパの駆動用モータ、自動製氷装置における離氷用モータ、自動製氷装置における給水用モータ、冷凍サイクルにおける冷媒の流路制御弁の駆動用モータ等が設けられ、それらの中には、定格電圧が異なるものがある。
従来の冷蔵庫では、出力電圧が一定の定電圧直流電源回路（以下、定電圧電源という）が設けられるとともに、この定電圧電源から各直流負荷への電源供給ラインに、電圧降下素子或いは電圧変換回路が設けられ、これにより各直流負荷に適切な電圧（定格電圧）が印加される。一般には、定電圧電源の出力電圧が、複数の直流負荷の定格電圧のうちの最大の電圧に設定され、これと定格電圧が異なる特定の直流負荷については、その特定の直流負荷ごとに電圧降下素子等が設けられることが多い。
例えば、特許文献１には、スイッチング電源トランス（定電圧電源）と、冷気供給量調節用のダンパを駆動するステッピングモータの駆動回路との間に電圧降下素子が設けられた冷蔵庫が示されている。
【特許文献１】特開２００４−１２０２８号公報
【発明の開示】
【発明が解決しようとする課題】
【０００３】
しかしながら、定格電圧が定電圧電源の出力電圧と異なる特定の直流負荷の数が多い場合、その特定の直流負荷各々について電圧降下素子や電圧変換回路を設けることが必要となり、部品点数が増えてコストの増大を招くとともに、その部品が実装される基板の面積が増えて冷蔵庫の容積効率（冷蔵庫の全体積に対する食品等の収容容積の比率）が悪化するという問題点があった。
また、電圧降下素子や電圧変換回路を構成する部品の数を抑えるために、定格電圧が同じ直流負荷ごとに共通の電圧降下素子や電圧変換回路を設けた場合、その電圧降下素子や電圧変換回路から直流負荷各々へ至る電源供給ラインを形成する基板上の配線パターンが長くなり、供給電圧が低下したりノイズの影響を受けやすくなるため、誤動作する可能性が増大するという問題点があった。また、複数の直流負荷に対して共通に設けられる電圧降下素子や電圧変換回路は、駆動する直流負荷すべてが駆動できるような電気的容量（定格容量）を有する素子・部品を使用する必要があり、部品サイズの大型化及びコスト増を招くという問題点も生じる。
従って、本発明は上記事情に鑑みてなされたものであり、その目的とするところは、定格電圧が異なる直流負荷に対して適切な直流電圧を印可する回路をシンプルに構成できる冷蔵庫及びその制御方法を提供することにある。
【課題を解決するための手段】
【０００４】
上記目的を達成するために本発明は、各々所定の電圧が印加されることにより動作し、少なくとも一の定格電圧が他の定格電圧と異なる複数の直流負荷を備えた冷蔵庫に適用されるものであり、１回路の出力側に前記直流負荷各々が一の通電経路で並列に接続され、前記複数の直流負荷に直流電圧を印加する（出力する）ものであって出力電圧が可変である電圧可変直流電源回路と、動作させる前記直流負荷に印加する前記所定の電圧に応じて前記電圧可変直流電源回路の出力電圧が該所定の電圧となるように制御する電圧制御手段と、動作させる前記直流負荷に対応して設けられた駆動回路により該直流負荷の動作を開始させる制御部とを備えて構成される。具体的に，前記所定の電圧が前記直流負荷の定格電圧であることが考えられる。
これにより、定格電圧が異なる直流負荷ごとに電圧降下素子や電圧変換回路を設ける必要がなく、定格電圧が異なる直流負荷各々に対して適切な直流電圧を印可する回路をシンプルに構成できる。
この場合、ある定格電圧の前記直流負荷の動作中はこれと異なる定格電圧の前記直流負荷のうちの全て若しくは一部の直流負荷の動作を禁止する動作禁止手段を具備するものが考えられる。
その他、ある定格電圧の第１の直流負荷の動作中にその第１の直流負荷に対して優先度が高くかつ定格電圧が異なる第２の直流負荷を動作させる場合、その第１の直流負荷の動作を中断させて優先度の高い第２の直流負荷を割り込ませて動作させる割り込み制御手段を設け、前記電圧制御手段により、前記割り込み制御手段により動作される前記直流負荷の定格電圧に応じて前記電圧可変直流電源回路の出力電圧を制御するものも考えられる。
また、前記電圧可変直流電源回路の最高出力電圧が前記複数の直流負荷の定格電圧のうちの最大の電圧に設定されたものであれば、無駄が無く好適である。
【０００５】
ここで、前記複数の直流負荷としては、例えば、冷気を送風するファンの駆動用モータ、冷却室への冷気の供給量を調節するダンパの駆動用モータ、自動製氷装置における離氷用モータ、自動製氷装置における給水用モータ、及び冷凍サイクルにおける冷媒の流路制御弁の駆動用モータ等が考えられ、これらのうちの１又は複数が前記複数の直流負荷に含まれているものが考えられる。
特に、冷却室への冷気供給量の調節ダンパを駆動するモータは冷却室ごとに設けられるので、冷却室の数が多い冷蔵庫について前記ダンパの駆動用モータを直流負荷とする場合に本発明を適用すれば、部品点数低減及び収容効率向上の効果がより顕著となる。
また、本発明は、以上示した冷蔵庫の機能が実現されるような冷蔵庫の制御方法として捉えることもできる。
即ち、各々所定の定格電圧が印加されることにより動作し、少なくとも一の定格電圧が他の定格電圧と異なる複数の直流負荷と、１回路の出力側に前記直流負荷各々が一の通電経路で並列に接続され、前記複数の直流負荷に直流電圧を印加するものであり、出力電圧が可変である電圧可変直流電源回路とを備えた冷蔵庫の制御方法であって、前記複数の直流負荷の中から定格電圧が異なるものの同時動作を禁止しつつ動作させる１若しくは複数の前記直流負荷を選択する負荷選択工程と、その負荷選択工程により選択された前記直流負荷の定格電圧に応じて前記電圧可変直流電源回路の出力電圧が該定格電圧となるように制御する電圧制御工程と、動作させる前記直流負荷に対応して設けられた駆動回路により該直流負荷の動作を開始させる制御工程とを有する冷蔵庫の制御方法である。
これにより、前述した冷蔵庫と同様の作用効果が得られる。
【発明の効果】
【０００６】
本発明によれば、動作させる直流負荷の定格電圧に応じて電圧可変直流電源回路の出力電圧を制御するので、定格電圧が異なる直流負荷ごとに電圧降下素子や電圧変換回路を設ける必要がなく、定格電圧が異なる直流負荷各々に対して適切な直流電圧を印可する回路をシンプルに構成できる。その結果、従来よりも部品点数低減及び収容効率向上を図ることができる。
【発明を実施するための最良の形態】
【０００７】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る冷蔵庫Ｘの本発明に関する主要部の構成を表すブロック図、図２は冷蔵庫Ｘにおける電圧可変直流電源回路αの出力電圧制御手順を表すフローチャートである。
【０００８】
本発明の実施形態に係る冷蔵庫Ｘは、各々予め定められた定格電圧が印加されることにより動作する複数の直流負荷を備え、それら直流負荷に直流電圧を印加する直流電源回路を出力電圧が可変なものとし、動作させる直流負荷の定格電圧に応じて電源回路の出力電圧を制御することを特徴とするものである。
まず、図１に示すブロック図を参照しつつ、冷蔵庫Ｘにおける本発明に関する主要部の構成について説明する。
図１に示すように、冷蔵庫Ｘは、電圧可変直流電源回路α（以下、可変圧電源回路という）と、各々予め定められた定格電圧が印加されることにより動作する複数の直流負荷９〜１３と、その各々について設けられた駆動回路１４〜１８と、当該冷蔵庫Ｘにおける各種の制御を行うマイクロコンピュータ及びこれにより実行される制御プログラムが記憶されたＲＯＭ等からなる制御部７とを具備して概略構成されている。
なお、冷蔵庫Ｘは、一般的な冷蔵庫が備えるその他の各種構成要素も備えるが、本発明の特徴をなすものではないのでここでは説明を省略する。
【０００９】
可変圧電源回路αは、ダイオードブリッジ回路１、電解コンデンサ２、スイッチングＩＣ３、スイッチングトランス４、平滑回路５及び定電圧制御回路６を備え、その一次側（入力側）が交流電源Ｇ（商用電源）に接続され、二次側（出力側）が複数の直流負荷９〜１３各々に対して駆動回路１４〜１８を介して並列に接続されている。
交流電源Ｇから供給される交流電気は、ダイオードブリッジ回路１により全波整流され、さらに電解コンデンサ２によって平滑化された後、スイッチングＩＣ３（スイッチング回路）によりスイッチング処理される。このスイッチングＩＣ３からのスイッチング出力は、スイッチングトランス４により一定電圧比で電圧変換がなされた後、平滑回路５により平滑化されて直流電圧Ｖoとなる。平滑回路５からの直流出力電圧、即ち、可変圧電源回路αの出力電圧Ｖoは定電圧制御回路６に入力され、その出力電圧Ｖoと定電圧制御回路６に設定された設定電圧Ｖsとの差分信号がスイッチングＩＣ３にフィードバックされる。これにより、当該可変圧電源回路αから直流負荷９〜１３へ流れる電流の大小によらず、その出力電圧Ｖoが設定電圧Ｖsに維持される安定電源回路（スイッチング電源回路）が構成されている。
ここで、定電圧制御回路６には、制御部７から出力される電圧制御信号２１が入力され、この電圧制御信号２１のレベルに従って設定電圧Ｖsが設定される。即ち、可変圧電源回路αは、複数の直流負荷９〜１３に直流電圧を印加するものであって、外部から入力される電圧制御信号２１のレベルの変更により出力電圧が可変である電圧可変型の直流電源回路である。
【００１０】
制御部７は、定電圧制御回路６に対して電圧制御信号２１を出力することにより、可変圧電源回路αの出力電圧を制御する電圧制御機能、及び駆動回路１４〜１８に対して動作制御信号２２を出力することにより、直流負荷９〜１３各々の動作／停止を制御する負荷制御機能等、各種の制御機能を備えている。これら制御機能は、制御部７が備えるマイクロコンピュータが所定の制御プログラムを実行することにより実現される。
また、制御部７には、可変圧電源回路αの出力電圧Ｖoが電圧変換回路８により所定の電圧（通常はＤＣ５Ｖ）に変換された電気が供給される。この電圧変換回路８から制御部７に供給される電圧は、可変圧電源回路αの出力電圧Ｖoの変化にかかわらず一定である。
【００１１】
次に、各直流負荷９〜１３について説明する。
図１には、直流負荷の例として、ダンパモータ９，ファンモータ１０，離氷モータ１１，給水モータ１２及び冷媒バルブモータ１３を示している。
ファンモータ１０は、不図示の冷凍サイクルが備える蒸発器での熱交換により生じた冷気を、食品等の被冷却物が収容される冷却室へ強制送風する冷却ファンの駆動用に設けられたモータである。
ダンパモータ９は、上記冷却ファンにより送られてくる冷気を複数の冷却室各々に分配するとともに、その分配量（冷却室への冷気の供給量）を調節するダンパの駆動用に設けられたモータであり、例えば、ステッピングモータにより構成されている。このダンパモータ９の回転角度制御により、ダンパが備えるバッフルの開閉角度が制御され、冷却室への冷気の供給量（分配量）が調節される。このダンパモータ９は、複数の冷却室それぞれについて設けられ、複数個存在する。
離氷モータ１１及び給水モータ１２は、不図示の自動製氷装置を構成するものである。自動製氷装置は、給水モータ１２により駆動される給水ポンプにより所定の給水タンクから製氷皿へ給水を行い、製氷皿の水が氷になった後に、離氷モータ１１によって製氷皿から離氷させ、その氷を所定の氷収容器内へ落下させる装置である。自動製氷装置のしくみは周知であるのでここでは詳しい説明は省略する。
冷媒バルブモータ１３は、不図示の冷凍サイクルにおける冷媒の経路（冷媒管）の分岐部に設けられた冷媒の流路制御弁（冷媒バルブ）の駆動用に設けられたモータであり、例えば、ステッピングモータにより構成されている。
各直流負荷９〜１３は、その各々に対応して設けられた駆動回路１４〜１８により、制御部７から出力される動作制御信号２２に従って可変圧電源回路αの出力電圧Ｖoの供給（印加）／遮断が切り替えられることにより、その動作／停止が制御される。
【００１２】
ここで、直流負荷９〜１３には、定格電圧が異なるものが存在する。本実施形態では、ダンパーモータ９の定格電圧はＤＣ１２Ｖ、ファンモータ１０の定格電圧はＤＣ１５Ｖ、離氷モータ１１及び給水モータ１２の定格電圧はＤＣ１２Ｖ、冷媒バルブモータ１３の定格電圧はＤＣ１５Ｖであるものとする。
なお、ファンモータ１０の駆動回路１５は、電圧変換回路を有しており、ファンモータ１０の定格電圧（ＤＣ１５Ｖ）が印加されるが、ファンモータ１０に供給（印加）する電圧は、上記電圧変換回路により、当該冷蔵庫Ｘの動作条件に応じてＤＣ７Ｖ〜１５Ｖの範囲で調節される。
また、可変圧電源回路αの最高出力電圧は、複数の直流負荷９〜１３の定格電圧のうちの最大の電圧（ここでは、ＤＣ１５Ｖ）に設定されている。
【００１３】
次に、図２に示すフローチャートを参照しつつ、冷蔵庫Ｘにおける可変圧電源回路αの出力電圧制御の手順について説明する。この出力電圧制御は、制御部７（のマイクロコンピュータ）が所定の制御プログラムを実行することにより実現される。なお、以下に示すＳ１，Ｓ２，…は、処理手順（ステップ）の識別符号を表す。
当該冷蔵庫Ｘが商用電源Ｇに接続されると、制御部７により各種初期設定（Ｓ１）が行われた後、各直流負荷９〜１３における定格電圧のレベルごとに、その定格電圧の直流負荷が動作中であるか否かの判別がなされる（Ｓ２，Ｓ３）。本実施形態では、定格電圧がＤＣ１５Ｖである直流負荷１０，１３（以下、定格１５Ｖ負荷という）が動作中であるか否かの判別（Ｓ２）及び定格電圧がＤＣ１２Ｖである直流負荷９，１１，１２（以下、定格１２Ｖ負荷という）が動作中であるか否かの判別（Ｓ３）がなされる。ここでは、各直流負荷９〜１３が動作中であるか否かの判別は、直流負荷９〜１３各々について設定（メモリに記憶）された状態フラグがＯＮ或いはＯＦＦのいずれであるかにより判別する。この状態フラグは、前述の初期設定（Ｓ１）の際に全て停止状態を表すＯＦＦに設定され、以後、後述するように直流負荷のいずれかが動作するごとに、その直流負荷に対応する状態フラグが動作状態を表すＯＮに設定される。
【００１４】
ステップＳ２及びＳ３において、定格１５Ｖ負荷が動作中であると判別された場合（Ｓ２のＹ側）、或いはいずれの直流負荷も動作中ではない（停止中である）と判別された場合（Ｓ３のＮ側）は、制御部７により、新たな定格１５Ｖ負荷を追加動作させる必要があるか否かの判別処理がなされる（Ｓ４）。
ここで、制御部７により、当該出力電圧制御処理と並行して、各直流負荷９〜１３について、各々予め定められた制御アルゴリズム（制御ルール）に従ってその動作或いは停止（動作終了）の必要性についての判別処理が行われるが、図２には図示していない。
ステップＳ４において、新たな定格１５Ｖ負荷を追加動作させる必要があると判別された場合は、制御部７は、定電圧制御回路６に電圧制御信号２１を出力することにより、可変圧電源回路αの出力電圧Ｖoが１５Ｖになるよう制御する（Ｓ５）とともに、その追加動作させる必要があると判別された定格１５Ｖ負荷の動作を開始させる（Ｓ６）。この動作の開始は、対応する駆動回路（１５，１８のいずれか）に動作制御信号２２を出力することによって行われる。さらに、制御部７は、新たに動作させた定格１５Ｖ負荷（直流負荷）について、その状態フラグをＯＮ（動作中）に設定する（Ｓ７）。
【００１５】
一方、ステップＳ２〜Ｓ４において、定格１２Ｖ負荷が動作中であると判別された場合（Ｓ３のＹ側）、或いは定格１２Ｖ負荷が動作中でなく（全て停止中である）、かつ、新たな定格１５Ｖ負荷を追加動作させる必要もないと判別された場合は、制御部７により、新たな定格１２Ｖ負荷を追加動作させる必要があるか否かの判別処理がなされる（Ｓ８）。
ステップＳ８において、新たな定格１２Ｖ負荷を追加動作させる必要があると判別された場合は、制御部７は、定電圧制御回路６に電圧制御信号２１を出力することにより、可変圧電源回路αの出力電圧Ｖoが１２Ｖになるよう制御する（Ｓ９）とともに、その追加動作させる必要があると判別された定格１２Ｖ負荷の動作を開始させる（Ｓ１０）。この動作の開始は、対応する駆動回路（１４、１６，１７のいずれか）に動作制御信号２２を出力することによって行われる。さらに、制御部７は、新たに動作させた定格１２Ｖ負荷（直流負荷）について、その状態フラグをＯＮ（動作中）に設定する（Ｓ１１）。
【００１６】
また、ステップＳ５〜Ｓ７若しくはステップＳ９〜Ｓ１１の処理により新たな直流負荷の動作が開始された後、或いは新たな直流負荷の動作がなされなかった場合には、制御部７により、現在動作中の直流負荷について、動作を終了させる（停止させる）必要があるか否かの判別処理（Ｓ１２）が行われる。前述したように、各直流負荷の動作／停止（動作終了）のタイミングは、予め定められた制御アルゴリズム（制御ルール）に基づいて判別される。
ここで、動作を終了させる必要がある直流負荷が存在すると判別された場合は、制御部７は、その直流負荷の動作を停止させ（Ｓ１３），さらにその直流負荷の状態フラグをＯＦＦ（停止中）に設定（Ｓ１４）した上で、ステップＳ２へ処理を移行させる。一方、動作を終了させる必要がある直流負荷が存在しないと判別された場合は、制御部７は、そのままステップＳ２へ処理を移行させる。これにより、前述したステップＳ２以降の処理が繰り返される。
【００１７】
図２に示した処理を行うことにより、制御部７は、動作させる直流負荷の定格電圧（ＤＣ１５ＶかＤＣ１２Ｖか）に応じて、可変圧電源回路αの出力電圧Ｖoを１５Ｖにするか１２Ｖにするかを制御する（Ｓ５，Ｓ９，電圧制御手段の一例）。
また、図２に示した処理では、制御部７は、定格電圧がＤＣ１５Ｖである直流負荷（１０若しくは１３）の動作中は、これと異なる定格電圧（ＤＣ１２Ｖ）の直流負荷（９、１１若しくは１２）を動作させる処理（Ｓ９〜Ｓ１１）を実行しない。同様に、定格電圧がＤＣ１２Ｖである直流負荷（９、１１若しくは１２）の動作中は、これと異なる定格電圧（ＤＣ１５Ｖ）の直流負荷（１０若しくは１３）を動作させる処理（Ｓ５〜Ｓ７）を実行しない。
このように、制御部７は、複数の直流負荷９〜１３の中から定格電圧が異なるものの同時動作を禁止しつつ、ステップＳ４及びＳ８の処理によって動作させる１若しくは複数の直流負荷を選択し（負荷選択工程の一例）、その選択された直流負荷の定格電圧に応じて可変圧電源回路αの出力電圧ＶoをステップＳ５及びＳ９の処理によって制御する（電圧制御工程の一例）。
即ち、制御部７は、ステップＳ２〜Ｓ４の判別処理により、ある定格電圧の直流負荷の動作中は、これと異なる定格電圧の直流負荷の動作を禁止している（動作禁止手段の一例）。
これにより、直流負荷各々について電圧降下素子や電圧変換回路を設けることなく、各直流負荷に対してその各々の定格電圧に適合した（適切な）電圧が印加される。なお、直流負荷の動作の禁止は、当該冷蔵庫Ｘが備える直流負荷の中で動作中の直流負荷と定格電圧が異なる直流負荷のうち、その全てについて動作を禁止する場合、或いはその一部について動作を禁止する場合が考えられる。
【００１８】
以上示した実施形態では、ある定格電圧の直流負荷の動作中はこれと異なる定格電圧の前記直流負荷の動作を禁止する制御を行う例について示したが、これに限るものではない。
例えば、各直流負荷９〜１３について、予め優先度を設定して制御部７が読み出し可能なＲＯＭ等の記憶手段に記憶させておき、ある定格電圧の直流負荷（これを、第１の直流負荷というものとする）の動作中に、その第１の直流負荷に対して優先度が高くかつ定格電圧が異なる直流負荷（これを、第２の直流負荷というものとする）の動作が必要であると判別された場合、その動作中の第１の直流負荷の動作を中断させ、優先度の高い第２の直流負荷を割り込ませて動作させる制御を制御部７により実行する構成（割り込み制御手段の一例）も考えられる。
この場合、制御部７は、割り込みにより動作される直流負荷の定格電圧に応じて（第２の直流負荷の定格電圧に合わせて）、可変圧電源回路αの出力電圧Ｖoを制御する。
これにより、優先度の高い直流負荷が、先に動作中の優先度の低い直流負荷の動作が停止するまで待たされるという状況を回避でき、より適切な直流負荷制御が可能となる。
【００１９】
以下、このような優先度に基づく直流負荷の制御を図２に示した処理手順に当てはめた例について説明する。
例えば、ステップＳ２において定格１５Ｖ負荷が動作中であると判別された場合に（Ｓ２のＹ側）、制御部７により、ステップＳ８と同様に新たに定格１２Ｖ負荷の追加動作が必要であるか否かの判別を行い、追加動作が必要であると判別された定格１２Ｖ負荷が存在する場合には、その優先度と現在動作中の定格１５Ｖ負荷の優先度との比較を行う。そして、現在動作中の定格１５Ｖ負荷よりも優先度の高い定格１２Ｖ負荷の動作が必要であると判別された場合には、現在動作中の定格１５Ｖ負荷の動作を中断させ、その状態フラグをＯＦＦ（停止中）に設定した上で、ステップＳ５〜Ｓ７の処理と同様に可変圧電源回路αの出力電圧Ｖoが１５Ｖになるよう制御するとともに、優先度の高い定格１２Ｖ負荷の動作開始及びその状態フラグのＯＮ（動作中）設定を行った後、処理をステップＳ１２へ移行させる。
【００２０】
同様に、ステップＳ３において定格１２Ｖ負荷が動作中であると判別された場合に（Ｓ３のＹ側）、制御部７により、ステップＳ４と同様に新たに定格１５Ｖ負荷の追加動作が必要であるか否かの判別を行い、追加動作が必要であると判別された定格１５Ｖ負荷が存在する場合には、その優先度と現在動作中の定格１２Ｖ負荷の優先度との比較を行う。そして、現在動作中の定格１２Ｖ負荷よりも優先度の高い定格１５Ｖ負荷の動作が必要であると判別された場合には、現在動作中の定格１２Ｖ負荷の動作を中断させ、その状態フラグをＯＦＦ（停止中）に設定した上で、ステップＳ９〜Ｓ１１の処理と同様に可変圧電源回路αの出力電圧Ｖoが１２Ｖになるよう制御するとともに、優先度の高い定格１５Ｖ負荷の動作開始及びその状態フラグのＯＮ（動作中）設定を行った後、処理をステップＳ１２へ移行させる。
図２に示した処理に、以上示した処理を加えることにより、ステップＳ１２〜Ｓ１４の処理によって割り込み動作させた優先度の高い直流負荷が停止された場合には、ステップＳ５〜Ｓ７或いはステップＳ９〜Ｓ１１の処理によって動作が中断されていた直流負荷の動作が再開される。
これにより、優先度に応じた直流負荷の動作制御が行われる。このような制御形態も本発明の実施形態の一例である。
【産業上の利用可能性】
【００２１】
本発明は冷蔵庫への利用が可能である。
【図面の簡単な説明】
【００２２】
【図１】本発明の実施形態に係る冷蔵庫Ｘの本発明に関する主要部の構成を表すブロック図。
【図２】冷蔵庫Ｘにおける電圧可変直流電源回路αの出力電圧制御手順を表すフローチャート。
【符号の説明】
【００２３】
Ｘ…冷蔵庫
α…電圧可変直流電源回路（可変圧電源回路）
１…ダイオードブリッジ回路
２…電解コンデンサ
３…スイッチングＩＣ
４…スイッチングトランス
５…平滑回路
６…定電圧制御回路
７…制御部
８…電圧変換回路
９…ダンパモータ（直流負荷）
１０…ファンモータ（直流負荷）
１１…離氷モータ（直流負荷）
１２…給水モータ（直流負荷）
１３…冷媒バルブモータ（直流負荷）
１４〜１８…駆動回路
２１…電圧制御信号
２２…動作制御信号
Ｓ１，Ｓ２，，，…処理手順（ステップ）
【図１】
0004446948.tif 000002
【図２】
0004446948.tif 000003